(57)【要約】ココナツ内部の無菌ココナツジュースに対する消費者の容易なアクセスを許容する再封止可能なスピゴットは，ココナツの開口内に配置されるバルブシートと，バルブシート内に配置されるプランジャスリーブを含む。プランジャスリーブは，ココナツ開口部を封止する膜を基部に有する。プランジャスリーブには，輸送及び貯蔵用にプランジャストッパが取り付けられ，これは消費者が膜を穿刺してココナツジュースにアクセスする際にも使用される。プランジャスリーブは，ココナツ開口部を再封止し，残留ココナツジュースを後の消費のために保護するために使用される。他の実施形態において，スピゴットは，一端部にスパイク端を，他端部には注ぎ口を有し，これらの間に孔が延在する通路を備える。【選択図】図２４
2014529418.tif 000002
【特許請求の範囲】
【請求項１】
ココナツ内の無菌ジュースにアクセスして取り出すための方法であって，
・ココナツの果肉にアクセスすると共にココナツジュースをアクセス時まで無菌に維持するための手段と，
・消費するためにココナツジュースにアクセスするための手段と，
を備える方法。
【請求項２】
ココナツ内の無菌ジュースにアクセスして取り出すための請求項１に記載した方法であって，ココナツジュースにアクセスするための前記手段が，ココナツの果肉に差し込まれる開放端を有するスピゴットである方法。
【請求項３】
ココナツ内の無菌ジュースにアクセスして取り出すための請求項２に記載した方法であって，前記スピゴットが，
・無菌ジュースを吐出するための注ぎ口と，
・前記スピゴットを，ココナツの果肉の残部を貫いてココナツ内腔部まで容易に差し込み可能とするためのスパイク端と，
を備える方法。
【請求項４】
ココナツ内の無菌ジュースにアクセスして取り出すための請求項３に記載した方法であって，前記スピゴットのココナツへの差し込みを所定の規制点において停止させるための手段を更に備える方法。
【請求項５】
ココナツ内の無菌ジュースにアクセスして取り出すための請求項４に記載した方法であって，前記スピゴットの差し込みを所定の規制点において停止させるための前記手段が，グロメットである方法。
【請求項６】
ココナツ内の無菌ジュースにアクセスして取り出すための請求項５に記載した方法であって，前記スピゴットが輸送時及び取扱時に更に偶発的に差し込まれるのを防止するためのカバー手段を更に備える方法。
【請求項７】
ココナツ内の無菌ジュースにアクセスして取り出すための請求項６に記載した方法であって，前記スピゴットが輸送時及び取扱時に更に偶発的に差し込まれるのを防止するための前記カバー手段が，前記グロメットの周縁部に係合するキャップフランジである方法。
【請求項８】
ココナツ内の無菌ジュースにアクセスして取り出すための請求項６に記載した方法であって，消費者のアクセス前における不正及び汚染を防止するためのカバーシール手段を更に備える方法。
【請求項９】
ココナツ内の無菌ジュースにアクセスして取り出すための請求項８に記載した方法であって，ココナツジュースが後の消費のために残留している場合に前記スピゴットの閉塞手段を構成する繋留栓を更に備える方法。
【請求項１０】
ココナツ内の無菌ジュースにアクセスして取り出すための請求項９に記載した方法であって，ココナツの果肉に差し込まれて前記スピゴットを通してのココナツジュースの流れを加速する空気バルブを更に備える方法。
【請求項１１】
ココナツ内の無菌ジュースにアクセスして取り出すための請求項１０に記載した方法であって，ココナツジュースが後の消費のために残留している場合に前記スピゴットの閉塞手段を構成する繋ぎ蓋を更に備える方法。
【請求項１２】
ココナツ内の無菌ジュースにアクセスして取り出すための請求項８に記載した方法であって，ココナツジュースを吸い上げるために前記スピゴットを通してココナツジュース内まで差し込めるストローを更に備える方法。
【請求項１３】
ココナツ内の無菌ジュースにアクセスして取り出すための請求項１２に記載した方法であって，前記ストローが繊維質の吸いこみを防止するフィルタを有する方法。
【請求項１４】
ココナツ内の無菌ジュースにアクセスして取り出すための請求項１に記載した方法であって，ココナツを納めるスタンドを更に備える方法。
【請求項１５】
ココナツ内の無菌ジュースにアクセスして取り出すための請求項１４に記載した方法であって，取扱いを容易にするためにココナツに取り付け可能なハンドルを更に備える方法。
【請求項１６】
ココナツ内の無菌ジュースにアクセスして取り出すための請求項１５に記載した方法であって，前記スピゴットの通路を開閉するためのプランジャを有するスピゴットを更に備える方法。
【請求項１７】
ココナツ内の無菌ジュースにアクセスして取り出すための請求項１に記載した方法であって，ココナツは外殻を残している方法。
【請求項１８】
ココナツ内の無菌ジュースにアクセスして取り出すための請求項１に記載した方法であって，ココナツは外殻が除かれている方法。
【請求項１９】
ココナツ内の無菌ジュースにアクセスして取り出すための再封止可能なスピゴットであって，
・加工されたココナツ開口部内に配置されるバルブプラグ孔を有するバルブプラグと，
・プランジャスリーブ孔及び基部を有するプランジャスリーブを備え，該基部には，前記プランジャスリーブ孔内に配置されて前記ココナツ開口部を封止する膜が設けられ，該膜によりココナツ内におけるココナツジュースを保護する密封シールを形成するスピゴット。
【請求項２０】
ココナツ内の無菌ジュースにアクセスして取り出すための請求項１９に記載した再封止可能なスピゴットであって，前記バルブプラグが，バルブプラグカラーと，これより離間したバルブプラグフランジと，これらの間に延存する外壁とを有するスピゴット。
【請求項２１】
ココナツ内の無菌ジュースにアクセスして取り出すための請求項２０に記載した再封止可能なスピゴットであって，前記バルブプラグカラーは，ココナツ開口部内に位置するときにココナツ開口部の周縁と係合するスピゴット。
【請求項２２】
ココナツ内の無菌ジュースにアクセスして取り出すための請求項２１に記載した再封止可能なスピゴットであって，前記バルブプラグフランジは，ココナツ開口部の内周と係合してココナツ開口部内における前記バルブシートの側方への変位を防止するスピゴット。
【請求項２３】
ココナツ内の無菌ジュースにアクセスして取り出すための請求項２２に記載した再封止可能なスピゴットであって，前記プランジャスリーブは，プランジャスリーブカラーと，これより離間したプランジャスリーブフランジと，これらの間に延存する外壁とを有するスピゴット。
【請求項２４】
ココナツ内の無菌ジュースにアクセスして取り出すための請求項２３に記載した再封止可能なスピゴットであって，前記プランジャスリーブカラーは，前記バルブプラグ孔内に位置するときに前記バルブプラグカラーと係合するスピゴット。
【請求項２５】
ココナツ内の無菌ジュースにアクセスして取り出すための請求項２４に記載した再封止可能なスピゴットであって，前記プランジャスリーブフランジは，前記バルブプラグ孔内に位置するときに前記バルブプラグフランジと係合することにより，前記バルブプラグ孔内における前記プランジャスリーブの側方への変位を防止するスピゴット。
【請求項２６】
ココナツ内の無菌ジュースにアクセスして取り出すための請求項２５に記載した再封止可能なスピゴットであって，前記プランジャスリーブを通してココナツジュースに対するアクセスを許容するため，及び前記プランジャスリーブ孔を封止してココナツ内のココナツジュースの品質を維持するためのプランジャストッパを更に備えるスピゴット。
【請求項２７】
ココナツ内の無菌ジュースにアクセスして取り出すための請求項２６に記載した再封止可能なスピゴットであって，前記プランジャストッパは，輸送時及び取扱時に前記プランジャスリーブに取り付けられるスピゴット。
【請求項２８】
ココナツ内の無菌ジュースにアクセスして取り出すための請求項２７に記載した再封止可能なスピゴットであって，前記プランジャストッパは，プランジャストッパランスと，プランジャストッパ尖端部とを有し，該プランジャストッパ尖端部は，前記プランジャスリーブ内に位置して圧力を前記プランジャストッパに加えたときに前記プランジャスリーブの膜を破るものであるスピゴット。
【請求項２９】
ココナツ内の無菌ジュースにアクセスして取り出すための請求項２８に記載した再封止可能なスピゴットであって，前記プランジャストッパは，前記プランジャスリーブ孔に対応する直径を有するプランジャストッパカラーを備えるスピゴット。
【請求項３０】
ココナツ内の無菌ジュースにアクセスして取り出すための請求項２９に記載した再封止可能なスピゴットであって，前記プランジャストッパは，前記プランジャスリーブ孔内に位置するときに該孔を再封止することにより，後の消費のためにココナツ内の残留ココナツジュースを保全するスピゴット。
【発明の詳細な説明】
【技術分野】
【０００１】
本発明は，一般的にはスピゴットに関し，より具体的にはココナツ内の無菌ココナツジュースに対して消費者が選択的にアクセスするのを許容するためのスピゴットに関する。このスピゴットは，一端部にスパイク端を，他端部には注ぎ口を有し，これら端部間には孔が貫通している通路を備える。スピゴット上には，保護部材で被覆されたスピゴットキャップが配置される。
【背景技術】
【０００２】
ココナツはスピゴットを差し込んだ状態で消費者に提供され，これにより消費者は部分的に挿入されたスピゴットを着座位置まで押し込んで無菌ココナツジュースにアクセスすることができる。
【０００３】
初めにスピゴットは，外殻を貫いて果肉まで差し込まれる。その際，差し込まれていない通路部分はある長さをもって外部から突出する。スピゴットは，使用時点までココナツ果肉内に留置され，消費者による選択的な消費までココナツジュースの無菌状態を維持する。
【０００４】
本発明は，更に，繊維質がストローに吸い込まれるのを防止するフィルタとして任意的に機能する任意的なエアベント及びストローを提供するものである。
【０００５】
本発明は，更に，ココナツに取り付け可能なココナツスタンド及びハンドルの付加的要素と，スピゴットとを提案するものであり，そのスピゴットはスピゴット内における液体閉塞位置と，ココナツジュースをグラスに注出可能とする非閉塞位置との間で移動可能とされている。
【発明の概要】
【発明が解決しようとする課題】
【０００６】
本発明の主たる目的は，ココナツ内部のココナツジュースにアクセス可能とするスピゴットを提案することである。
【０００７】
本発明の他の目的は，初めにココナツ内腔部を穿刺しない限度でスピゴットを，外殻を通して果肉まで差し込んでおくことにより，ココナツ内のココナツジュースにアクセス可能とすることである。
【０００８】
本発明の他の目的は，キャップを被せたスピゴットを提供することにより，部分的に差し込まれたスピゴットの輸送時及び取扱時における偶発的な変位を防止することである。
【０００９】
本発明の他の目的は，不正の証拠シールとして機能する保護部材を設けたスピゴットを提供することである。
【００１０】
本発明の他の目的は，消費者がココナツ内のココナツジュースに対し，その無菌性を損なわずに容易にアクセス可能とすることである。
【００１１】
本発明の他の目的は，ココナツ内のココナツジュース用のスピゴットを提供し，消費者がそのスピゴットをココナツ果肉の残部を貫いてココナツ内腔部内まで押し込むことにより消費者がココナツ内のココナツジュースに対してアクセス可能とすることである。
【００１２】
本発明の他の目的は，再封止可能な開口部を有する任意的なエアベントを設けたスピゴットを提供することである。
【００１３】
本発明の他の目的は，繊維質の吸い込みを防止するためのフィルタを一端部に設けることのできるストローを提供することである。
【００１４】
本発明の他の目的は，ココナツ用のスタンドを提供することである。
【００１５】
本発明の他の目的は，ココナツに取り付け可能なハンドルを提供することである。
【００１６】
本発明の他の目的は，プランジャを有するスピゴットを提供し，プランジャを閉塞位置から非閉塞位置まで変位させてココナツジュースをグラスに注出可能とすることである。
【課題を解決するための手段】
【００１７】
上述した目的及び関連する目的を達成するため，本発明は，ココナツ内のココナツジュースに選択的にアクセスするための再封止可能な注ぎ口を提供する。注ぎ口は，ココナツ内のココナツジュースに対する消費者の容易なアクセスを許容するココナツ用のスピゴットを有する。スピゴットは，一端にランスを，また他端にはフランジを有し，これらの間に孔が貫通する通路を備える。リテーナリングがスピゴットのためのストッパとして設けられている。スピゴットキャップがスピゴット上に被せられ，保護部材によりカバーされる。消費者のためにスピゴットを有する通路が提供され，これにより消費者は，部分的に差し込まれたスピゴットを着座位置まで押し込んで無菌ココナツジュースに容易にアクセスすることが可能である。
【００１８】
より具体的に言えば，本発明の好適な実施形態に係るスピゴットは，ココナツ開口部内に配置されるバルブシートと，バルブシート内に配置されるプランジャスリーブとを備える。プランジャスリーブは，通路開口を封止する膜を基部に有する。プランジャスリーブには輸送及び取扱用のプランジャストッパが取り付けられ，このプランジャストッパは，消費者が膜を穿刺してココナツジュースにアクセスするために使用される。プランジャストッパは，ココナツ開口部を再封止し，後の消費のために残留ココナツジュースを保護するためにも使用される。
【００１９】
更に，本発明の好適な実施形態に係るスピゴットは，一端部にスパイク端を，他端部には注ぎ口を有し，これらの間に孔が貫通する通路を備える。この通路は，ココナツに部分的に差し込まれたスピゴットを有することにより，無菌ココナツジュースに対する消費者の容易なアクセスを許容する。そのためには，ココナツに部分的に差し込まれたスピゴットを，スピゴットの差し込みストッパとしてのグロメットが規定する着座位置まで押し込む。スピゴットからの液体の流れを促進するためのアエベントを設けることもできる。
【００２０】
本発明の他の目的及び特徴は，添付図面を参照すれば明白である。なお，添付図面は，もっぱら本発明の特定の好適実施形態を示すに止まり，本発明を限定することを意図するものではない。
【図面の簡単な説明】
【００２１】
各図において，同一の参照数字及び参照符号は構造的又は機能的に対応する構成要素を表している。
【図１】ココナツジュースに随時アクセスするための手段を設けたココナツを，外殻を有する状態及び外殻を除いた状態で示す断面図である。
【図２】本発明の使用状態を例示する説明図である。
【図３】ココナツに部分的に差し込んだスピゴットを示す断面図である。
【図４】ココナツに部分的に差し込んだスピゴットを示す断面図である。
【図５】ココナツに部分的に差し込んだスピゴットを，キャップを除いた状態で示す断面図である。
【図６】ココナツ内腔部まで差し込んだスピゴットを示す断面図である。
【図７】ココナツに部分的に差し込んだスピゴットを示す断面図である。
【図８】ココナツに部分的に差し込んだスピゴットを示す断面図である。
【図９】ココナツに部分的に差し込んだスピゴットを示す断面図である。
【図１０】ココナツに部分的に差し込んだスピゴットを示す断面図である。
【図１１】本発明の使用状態を例示する説明図である。
【図１２】本発明の使用状態を例示する説明図である。
【図１３】ココナツに部分的に差し込んだスピゴットを示す断面図である。
【図１４】ココナツに部分的に差し込んだスピゴットを示す断面図である。
【図１５】ココナツに部分的に差し込んだスピゴットを，キャップを除いた状態で示す断面図である。
【図１６】ココナツ内腔部まで差し込んだスピゴットを示す断面図である。
【図１７】ココナツに部分的に差し込んだスピゴットを示す断面図である。
【図１８】ココナツに部分的に差し込んだスピゴットを示す断面図である。
【図１９】ココナツに部分的に差し込んだスピゴットを示す断面図である。
【図２０】ココナツに完全に差し込んだスピゴットを示す断面図である。
【図２１】ココナツ内腔部まで差し込んだスピゴットを示す断面図である。
【図２２】ココナツ内腔部まで差し込んだスピゴットを示す断面図である。
【図２３】スリット及び閉鎖端を有するストローを差し込んだココナツを示す断面図である。
【図２４】ココナツ用のハンドル及びスタンドを例示する説明図である。
【図２５】本発明の他の実施形態を例示する斜視図である。
【図２６】ココナツジュースにアクセスするためのプランジャストッパを例示する斜視図である。
【図２７】再封止可能な注ぎ口を例示する説明図である。
【図２８】後に消費するために再封止されたココナツを例示する斜視図である。
【図２９】本発明の他の実施形態を例示する分解図である。
【図３０】本発明の更に他の実施形態を例示する分解図である。
【発明を実施するための形態】
【００２２】
添付図面を参照すれば，図１は，ココナツジュースに随時アクセスするための手段を設けたココナツ10を，外殻を有する状態及び外殻を除いた状態で示す断面図である。本発明はスピゴット28を提供するものであり，このスピゴットは果肉23内に部分的に差し込まれた状態で消費者まで輸送される。そして，消費者がスピゴット28を，果肉23を通してココナツ内腔部24内まで完全に差し込むと，無菌ココナツジュースに対するアクセスが可能となる。図示のとおり，本発明に係るスピゴット28は，外殻16を残したココナツ14に対して，更にはココナツ種子ケース20を有するココナツ種子が残されるように外殻を取り除いたココナツに対しても使用可能である。
【００２３】
図２は，ココナツ10の種子18内まで部分的に差し込まれたスピゴット28を示しており，これにより消費者12は，ココナツの果肉を通してスピゴット28を完全に差し込むことでココナツジュース26に対してアクセスすることが可能である。
【００２４】
図３は，ココナツに部分的に差し込まれたスピゴットの断面図である。本発明は，消費者がココナツジュース26をココナツ内腔部24から容易に抽出可能とする手段を提供する。そのためには，注ぎ口30と，スパイク端を有する通路32とを備えるスピゴット28を，グロメット36を通して，そしてココナツ種子ケース20を有するココナツ種子20を通してココナツ果肉22内まで差し込む。次にスピゴット28を，グロメット36に摩擦係合するフランジ40を有するスピゴットキャップ38と，キャップシール42内における保護部材とでカバーする。代替的に，ココナツジュース26を吸い出す際，ココナツ内腔部24内に空気を供給するエアバルブ44を設けることもできる。
【００２５】
図４は，ココナツに部分的に差し込まれたスピゴットの断面図である。図示のとおり，キャップシール42はその着座位置から外されている。キャップシール42は，消費者のために不正の証拠カバーとして機能すると共に，消費者がアクセスする前のスピゴットキャップ38の汚染を防止する機能も有する。本発明は，消費者がココナツジュース26をココナツ内腔部24から容易に抽出可能とする手段を提供する。そのためには，注ぎ口30と，スパイク端を有する通路32とを備えるスピゴット28を，グロメット36を通して，そしてココナツ種子ケース20を有するココナツ種子20を通してココナツ果肉22内まで差し込む。次にスピゴット28を，グロメット36に摩擦係合するフランジ40を有するスピゴットキャップ38と，キャップシール42内における保護部材42とでカバーする。代替的に，ココナツジュース26を吸い出す際，ココナツ内腔部24内に空気を供給するための繋ぎ蓋46を有するエアバルブ44を設けることもできる。
【００２６】
図５は，ココナツに部分的に差し込まれたスピゴット28を，スピゴットキャップ38を除去した状態で示す。キャップシールを除いた状態で，グロメット36に摩擦係合するフランジ40を有するスピゴットキャップ38を外すと，スピゴット28に対してアクセスすることが可能となる。スピゴット28は，注ぎ口30と，スパイク端34で終止する通路32とを有する。スパイク端34は，ココナツ種子ケース20を有するココナツ種子18の果肉22内に位置している。次に，消費者はスピゴット28を，果肉22の残部を通してココナツ内腔部24内まで容易に押し込むことができ，これにより無菌ココナツジュース26に対してアクセスすることが可能である。代替的に，ココナツジュース26を吸い出す際，ココナツ内腔部24内に空気を供給するための，繋ぎ蓋46を有するエアバルブ44を設けることもできる。
【００２７】
図６は，ココナツ内腔部内まで差し込まれたスピゴットを示す断面図である。図示のとおり，スピゴット28は，注ぎ口30と，スパイク端34で終止する通路32とを有する。スパイク端34は，果肉22を通して，ココナツ種子ケース20を有するココナツ種子18のココナツ内腔部24内まで完全に差し込まれている。グロメット36は，スピゴットキャップの取り付け手段を構成し，ココナツ内腔部24内へのスピゴットの差し込みを規制するストッパとしても機能する。
【００２８】
図７は，ココナツに部分的に差し込まれたスピゴットの断面図である。図示のとおり，キャップシール42はその着座位置から外されている。キャップシール42は，消費者のために不正の証拠カバーとして機能すると共に，消費者がアクセスする前のスピゴットキャップ38の汚染を防止する機能も有する。本発明は，消費者がココナツジュース26をココナツ内腔部24から容易に抽出可能とする手段を提供する。そのためには，注ぎ口30と，スパイク端を有する通路32とを備えるスピゴット28を，グロメット36を通して，そしてココナツ種子ケース20を有するココナツ種子20を通してココナツ果肉22内まで差し込む。次にスピゴット28を，グロメット36に摩擦係合するフランジ40を有するスピゴットキャップ38と，キャップシール42内における保護部材42とでカバーする。
【００２９】
図８は，ココナツに部分的に差し込まれたスピゴットの断面図である。図示のとおり，キャップシールはスピゴットキャップ38から除かれている。スピゴットキャップ38は，グロメット36に摩擦係合することにより輸送時及び取扱時におけるスピゴット28の偶発的な変位を防止するフランジ40を有する。スピゴット28は，注ぎ口30と，スパイク端34で終止する通路32とを有する。スピゴット28は，スパイク端34がココナツジュースの入ったココナツ内腔部を損なわない限度でココナツ果肉22内に押し込まれるまで，グロメット36を貫いてココナツ種子ケース20を有するココナツ種子18内に差し込む。
【００３０】
図９は，ココナツに部分的に差し込まれたスピゴットの断面図である。図示のとおり，キャップシール及びフランジ40を有するスピゴットキャップ38は，グロメット36との摩擦係合から解放されている。これにより，注ぎ口30と，スパイク端34で終止する通路32とを備えるスピゴット28にアクセスすることが可能である。スパイク端34は，ココナツ種子ケース20を有するココナツ種子18の果肉22内に位置している。次に，消費者はスピゴット28を，果肉22の残部を通してココナツ内腔部24内まで容易に押し込むことができ，これにより無菌ココナツジュース26に対してアクセスすることが可能である。
【００３１】
図１０は，ココナツ内腔部内まで完全に差し込まれたスピゴットの断面図である。図示のとおり，スピゴット28は，注ぎ口30と，スパイク端34で終止する通路32とを備える。スパイク端34は，ココナツ種子ケース20を有するココナツ種子18のココナツ内腔部内まで完全に差し込まれており，これによりココナツジュースに対するアクセスが可能である。グロメット36は，スピゴットキャップの取り付け手段を構成し，消費者によるココナツ内腔部24内へのスピゴット28の差し込みを規制するストッパとしても機能する。
【００３２】
図１１は，本発明の使用状態を例示する説明図である。本発明に係るスピゴット28は，ココナツ外殻16を有するココナツ14内に部分的に差し込まれており，消費者がスピゴット28を，ココナツ果肉22を貫いてココナツ内腔部24内まで更に差し込むことによりココナツジュース26に対してアクセスすることが可能である。ココナツ14の外殻16は，種子ケース20を有するココナツ種子18を内包している。本発明は，外殻16を残したココナツ14に対して適用可能であり，また，前述したように外殻16を除いたココナツ14に対しても適用可能である。グロメット32をココナツ外殻16上に配置してスピゴット28を，外殻を貫いて，そして種子ケース20を有するココナツ種子18を貫いてココナツ果肉22内まで差し込む。これにより消費者は，ココナツ内腔部24内へのスピゴットの差し込みを容易に完結させてココナツジュース26にアクセスすることが可能となる。
【００３３】
図１２は，消費者がココナツ14のココナツジュース26をココナツ内腔部24から容易に抽出可能とする本発明に係る手段を例示するものである。そのためには，注ぎ口30と，スパイク端34を有する通路32とを備えるスピゴット28を，グロメット36，ココナツ外殻16，並びにココナツ種子ケース20を有するココナツ種子18を通してココナツ果肉22内まで部分的に差し込み，グロメット36に摩擦係合するフランジ40を有するスピゴットキャップ38とキャップシールとでスピゴット28をカバーしておく。代替的に，ココナツジュース26を吸い出す際，ココナツ内腔部24内に空気を供給するための繋ぎ蓋46を有するエアバルブ44を設けることもできる。
【００３４】
図１３は，ココナツに部分的に差し込まれたスピゴットの断面図である。本発明は，消費者がココナツ外殻16を残したココナツ14からココナツジュース26を容易に抽出可能とする手段を提供するものである。そのためには，注ぎ口30と，スパイク端34を有する通路32とを備えるスピゴット28を，グロメット36，ココナツ外殻16，並びにココナツ種子ケース20を有するココナツ種子18を通してココナツ果肉22内まで部分的に差し込み，グロメット36に摩擦係合するフランジ40を有するスピゴットキャップ38とキャップシール42内の保護部材とでスピゴット28をカバーしておく。代替的に，ココナツジュース26を吸い出す際，ココナツ内腔部24内に空気を供給するための繋ぎ蓋46を有するエアバルブ44を設けることもできる。
【００３５】
図１４は，ココナツに部分的に差し込まれたスピゴットの断面図である。図示のとおり，キャップシール42はその着座位置から外されている。キャップシール42は，消費者のために不正の証拠カバーとして機能すると共に，消費者がアクセスする前のスピゴットキャップ38の汚染を防止する機能も有する。本発明は，消費者がココナツジュース26をココナツ内腔部24から容易に抽出可能とする手段を提供する。そのためには，注ぎ口30と，スパイク端34を有する通路32とを備えるスピゴット28を，グロメット36を通して，そしてココナツ種子ケース20を有するココナツ種子20を通してココナツ果肉22内まで差し込む。次にスピゴット28を，グロメット36に摩擦係合するフランジ40を有するスピゴットキャップ38と，キャップシール42内における保護部材42とでカバーする。代替的に，ココナツジュース26を吸い出す際，ココナツ内腔部24内に空気を供給するための繋ぎ蓋46を有するエアバルブ44を設けることもできる。
【００３６】
図１５は，ココナツに部分的に差し込まれたスピゴットを，キャップを除去した状態で示す。キャップシールを除いた状態で，グロメット36に摩擦係合するフランジ40を有するスピゴットキャップ38を外すと，スピゴット28に対してアクセスすることが可能となる。スピゴット28は，注ぎ口30と，スパイク端34で終止する通路32とを有する。スパイク端34は，ココナツ種子ケース20を有するココナツ種子18の果肉22内に位置している。次に，消費者はスピゴット28を，果肉22の残部を通してココナツ内腔部24内まで容易に押し込むことができ，これにより無菌ココナツジュース26に対してアクセスすることが可能である。代替的に，ココナツジュース26を吸い出す際，ココナツ内腔部24内に空気を供給するための繋ぎ蓋46を有するエアバルブ44を設けることもできる。
【００３７】
図１６は，ココナツ内腔部内まで差し込まれたスピゴットの断面図である。図示のとおり，注ぎ口30と，スパイク端34で終止する通路32とを備えるスピゴット28は，ココナツ果肉22を貫いてココナツ内腔部24内まで完全に差し込まれている。ココナツ14は，ココナツ種子ケース20を有するココナツ種子18を内包する外殻が残されている。これにより，ココナツジュース26に対するアクセスが可能とされている。グロメット36は，スピゴットキャップの取り付け手段を構成し，消費者によるココナツ内腔部24内へのスピゴット28の差し込みを規制するストッパとしても機能する。
【００３８】
図１７は，ココナツに部分的に差し込まれたスピゴットの断面図である。図示のとおり，キャップシール42はその着座位置から外されている。キャップシール42は，消費者のために不正の証拠カバーとして機能すると共に，消費者がアクセスする前のスピゴットキャップ38の汚染を防止する機能も有する。本発明は，消費者がココナツジュース26をココナツ内腔部24から容易に抽出可能とする手段を提供する。そのためには，注ぎ口30と，スパイク端34を有する通路32とを備えるスピゴット28を，グロメット36を通して，そしてココナツ種子ケース20を有するココナツ種子20を通してココナツ果肉22内まで差し込む。次にスピゴット28を，グロメット36に摩擦係合すると共にキャップシール42でカバーされたフランジ40を有するスピゴットキャップ38でカバーする。
【００３９】
図１８は，ココナツに部分的に差し込まれたスピゴットの断面図である。図示のとおり，キャップシール及びフランジ40を有するスピゴットキャップ38は，グロメット36との摩擦係合から解放されている。これにより，注ぎ口30と，スパイク端34で終止する通路32とを備えるスピゴット28にアクセスすることが可能である。スパイク端34は，ココナツ種子ケース20を有するココナツ種子18を内包するココナツ14の果肉22内に位置している。次に，消費者はスピゴット28を，果肉22の残部を通してココナツ内腔部24内まで容易に押し込むことができ，これにより無菌ココナツジュース26に対してアクセスすることが可能である。
【００４０】
図１９は，ココナツに部分的に差し込まれたスピゴットの断面図である。図示のとおり，キャップシール及びフランジ40を有するスピゴットキャップ38は，グロメット36との摩擦係合から解放されている。これにより，注ぎ口30と，スパイク端34で終止する通路32とを備えるスピゴット28にアクセスすることが可能である。スパイク端34は，ココナツ種子ケース20を有するココナツ種子18を内包するココナツ14の果肉22内に位置している。次に，消費者はスピゴット28を，果肉22の残部を通してココナツ内腔部24内まで容易に押し込むことができ，これにより無菌ココナツジュース26に対してアクセスすることが可能である。
【００４１】
図２０は，ココナツ内腔部内まで完全に差し込まれたスピゴットの断面図である。図示のとおり，スピゴット28は，注ぎ口30と，スパイク端34で終止する通路32とを備える。スパイク端34は，果肉22を貫いて，ココナツ種子ケース20を有するココナツ種子18を内包するココナツ14の内腔部内まで完全に差し込まれており，これによりココナツジュースに対してアクセスすることが可能である。グロメット36は，スピゴットキャップの取り付け手段を構成し，消費者によるココナツ内腔部24内へのスピゴット28の差し込みを規制するストッパとしても機能する。
【００４２】
図２１は，閉塞可能なグロメット及びストローを備える追加的要素の断面図である。この実施形態に係るスピゴット28は，閉塞可能な繋ぎ蓋46を有する注ぎ口30と，スパイク端34で終止する通路32とを備える。スピゴット28は，グロメット36と，ココナツ種子ケース20を有するココナツ種子18と，ココナツ果肉22とを貫いてココナツ内腔部24内まで差し込まれている。この状態で消費者はストロー48を通してココナツジュースを抽出することができ，その際にフィルタ50がストローへの繊維質の吸い込みを防止する。
【００４３】
図２２は，閉塞可能なグロメット及びストローを備える追加的要素の断面図である。この実施形態に係るスピゴット28も，閉塞可能な繋ぎ蓋46を有する注ぎ口30と，スパイク端34で終止する通路32とを備える。スピゴット28は，グロメット36と，ココナツ種子ケース20を有するココナツ種子18を内包するココナツ外殻と，ココナツ果肉22とを貫いてココナツ内腔部24内まで差し込まれている。この状態で消費者はストロー48を通してココナツジュースを抽出することができ，その際にフィルタ50がストローへの繊維質の吸い込みを防止する。
【００４４】
図２３は，ココナツ内腔部内まで差し込まれたスピゴットの断面図である。図示のとおり，スピゴット28は，注ぎ口30と，スパイク端34で終止する通路32とを備える。スパイク端34は，果肉22を貫いて，ココナツ種子ケース20を有するココナツ種子18の内腔部内まで完全に差し込まれており，これによりフィルタ50を有するストロー48を経てココナツジュース26にアクセスすることが可能である。グロメット36は，スピゴットキャップの取り付け手段を構成し，消費者によるココナツ内腔部24内へのスピゴット28の差し込みを規制するストッパとしても機能する。繋ぎ蓋46は，未消費のココナツジュースの鮮度を維持する機能を有する。
【００４５】
図２４は，本発明に係る追加的要素の説明図である。より具体的に言えば，本発明はココナツジュースへのアクセスの便宜のためにココナツスタンド52及びココナツハンドル54を提供するものである。スピゴット28はプランジャ56を有し，プランジャ56は次回の消費までスピゴット28をシールしてココナツジュースの鮮度を維持する。プランジャ56を選択的にスピゴット通路から外すと，使用者はココナツジュースをグラス58に注出することができる。
【００４６】
図２５は，本発明の他の好適な実施形態を示す説明図である。ココナツ20は壁内に所定の直径を有する開口部60が設けられており，この開口部内にはバルブプラグ80がセットされ，その際にバルブプラグカラー82が開口部60の周壁と係合する。バルブプラグ80はプランジャスリーブ72を通すバルブプラグ孔84を有する。プランジャスリーブ72はプランジャスリーブ膜78を設けたプランジャスリーブ孔74を有し，プランジャスリーブ膜78はココナツの内容物を封止するものである。プランジャストッパランス端70を有するプランジャストッパランス68を設けたプランジャストッパ62を使用してプランジャスリーブ膜78を破ると，ココナツ内部のココナツジュースにアクセスすることが可能である。参照数字66で示すように，プランジャストッパ62はプランジャスリーブ72に繋げられている。プランジャストッパ62は，ココナツの内容物に対するアクセスを可能にすると共に，プランジャスリーブ孔74を閉塞するプランジャストッパ64を設けることにより次回の消費のためにココナツの残留内容物を封止するためのストッパとしても機能する。
【００４７】
図２６は，ココナツジュースに対してアクセス可能とするためのプランジャストッパを示す説明図である。ココナツ20には種子壁を貫く所定直径の開口部60が加工されており，この開口部にはバルブプラグ80を押し込み可能である。その際，バルブプラグカラー82が開口部60の周壁頂部に係合すると共にバルブプラグフランジが開口部60の内周壁に係合する。プランジャスリーブ72が図30に示すバルブプラグ孔84内に着座し，その基部におけるプランジャスリーブ膜78によりココナツ内容物を封止する。
【００４８】
図２７は，再封止可能な注ぎ口の使用状態を示す説明図である。ココナツジュースに対して消費者が選択的にアクセスするためには，プランジャストッパ62の尖端70を使用して膜78を破る。プランジャストッパ62は，プランジャスリーブ孔74に対応する直径を有するカラー64が設けられているので，注ぎ口を再封止して次回の消費のためにココナツジュースの鮮度を維持することが可能である。
【００４９】
図２８は，次回の消費のために再封止されたココナツを示す説明図である。繋げられたプランジャストッパ62を使用することにより，消費者は，プランジャスリーブ膜78を選択的に穿刺してココナツジュースにアクセスすることができる。また，プランジャストッパ62を挿入することによりココナツを再封止し，次回の消費のためにココナツジュースの鮮度を維持することもできる。
【００５０】
図２９は，本発明の他の好適な実施形態を示す説明図である。ココナツ20は壁内に所定の直径を有する開口部60が設けられており，この開口部内にはバルブプラグ80がセットされ，その際にバルブプラグカラー82が開口部60の周壁と係合する。バルブプラグ80はプランジャスリーブ72を通すバルブプラグ孔84を有する。プランジャスリーブ72はプランジャスリーブ膜78を設けたプランジャスリーブ孔74を有し，プランジャスリーブ膜78はココナツの内容物を封止するものである。プランジャストッパランス端70を有するプランジャストッパランス68を設けたプランジャストッパ62を使用してプランジャスリーブ膜78を破ると，ココナツ内部のココナツジュースにアクセスすることが可能である。参照数字66で示すように，プランジャストッパ62はプランジャスリーブ72に繋げられている。プランジャストッパ62は，ココナツの内容物に対するアクセスを可能にすると共に，プランジャスリーブ孔74を閉塞するプランジャストッパ64を設けることにより次回の消費のためにココナツの残留内容物を封止するためのストッパとしても機能する。
【００５１】
図３０は，本発明の他の好適な実施形態を示す説明図である。ココナツ20は壁内に所定の直径を有する開口部60が設けられており，この開口部内にはバルブプラグ80がセットされ，その際にバルブプラグカラー82が開口部60の周壁と係合する。バルブプラグ80はプランジャスリーブ72を通すバルブプラグ孔84を有する。プランジャスリーブ72はプランジャスリーブ膜78を設けたプランジャスリーブ孔74を有し，プランジャスリーブ膜78はココナツの内容物を封止するものである。プランジャストッパランス端70を有するプランジャストッパランス68を設けたプランジャストッパ62を使用してプランジャスリーブ膜78を破ると，ココナツ内部のココナツジュースにアクセスすることが可能である。参照数字66で示すように，プランジャストッパ62はプランジャスリーブ72に繋げられている。プランジャストッパ62は，ココナツの内容物に対するアクセスを可能にすると共に，プランジャスリーブ孔74を閉塞するプランジャストッパ64を設けることにより次回の消費のためにココナツの残留内容物を封止するためのストッパとしても機能する。
【００５２】
以上，図面を参照しながら本発明の幾つかの実施形態について記述したが，本発明の技術的範囲を逸脱することなく多様な変更が可能であることは言うまでもない。
【符号の説明】
【００５３】
10  スピゴットを差し込んだココナツ
12  消費者
14  ココナツ
16  ココナツ外殻
18  ココナツ種子
20  ココナツ種子ケース
22  ココナツ果肉
24  ココナツ種ケースの内腔部
26  ココナツジュース
28  スピゴット
30  注ぎ口
32  通路
34  スパイク端
36  グロメット
38  スピゴットキャップ
40  キャップフランジ
42  キャップシール
44  エアバルブ
46  繋ぎ蓋
48  ストロー
50  ストローフィルタ
52  スタンド
54  ハンドル
56  プランジャ
58  グラス
60  ココナツ開口部
62  プランジャストッパ
64  プランジャストッパのカラー
66  プランジャストッバのテザー
68  プランジャストッパのランス
70  プランジャストッパのランス端
72  プランジャスリーブ
74  プランジャスリーブ孔
76  プランジャスリーブのフランジ
78  プランジャスリーブの膜
80  バルブプラグ
82  バルブプラグのカラー
84  バルブプラグのフランジ
86  圧力
【図１】
2014529418.tif 000003
【図２】
2014529418.tif 000004
【図３】
2014529418.tif 000005
【図４】
2014529418.tif 000006
【図５】
2014529418.tif 000007
【図６】
2014529418.tif 000008
【図７】
2014529418.tif 000009
【図８】
2014529418.tif 000010
【図９】
2014529418.tif 000011
【図１０】
2014529418.tif 000012
【図１１】
2014529418.tif 000013
【図１２】
2014529418.tif 000014
【図１３】
2014529418.tif 000015
【図１４】
2014529418.tif 000016
【図１５】
2014529418.tif 000017
【図１６】
2014529418.tif 000018
【図１７】
2014529418.tif 000019
【図１８】
2014529418.tif 000020
【図１９】
2014529418.tif 000021
【図２０】
2014529418.tif 000022
【図２１】
2014529418.tif 000023
【図２２】
2014529418.tif 000024
【図２３】
2014529418.tif 000025
【図２４】
2014529418.tif 000026
【図２５】
2014529418.tif 000027
【図２６】
2014529418.tif 000028
【図２７】
2014529418.tif 000029
【図２８】
2014529418.tif 000030
【図２９】
2014529418.tif 000031
【図３０】
2014529418.tif 000032
【手続補正書】
【提出日】平成26年8月11日(2014.8.11)
【手続補正１】
【補正対象書類名】特許請求の範囲
【補正対象項目名】全文
【補正方法】変更
【補正の内容】
【特許請求の範囲】
【請求項１】
ココナツ内の無菌ジュースにアクセスして取り出すためのシステムであって，
・ココナツの果肉にアクセスすると共にココナツジュースをアクセス時まで無菌に維持するための手段と，
・消費するためにココナツジュースにアクセスするための手段と，
を備えるシステム。
【請求項２】
ココナツ内の無菌ジュースにアクセスして取り出すための請求項１に記載したシステムであって，ココナツジュースにアクセスするための前記手段が，ココナツの果肉に差し込まれる開放端を有するスピゴットであるシステム。
【請求項３】
ココナツ内の無菌ジュースにアクセスして取り出すための請求項２に記載したシステムであって，前記スピゴットが，
・無菌ジュースを吐出するための注ぎ口と，
・前記スピゴットを，ココナツの果肉の残部を貫いてココナツ内腔部まで容易に差し込み可能とするためのスパイク端と，
を備えるシステム。
【請求項４】
ココナツ内の無菌ジュースにアクセスして取り出すための請求項２又は３に記載したシステムであって，前記スピゴットのココナツへの差し込みを所定の規制点において停止させるための手段を更に備えるシステム。
【請求項５】
ココナツ内の無菌ジュースにアクセスして取り出すための請求項４に記載したシステムであって，前記スピゴットの差し込みを所定の規制点において停止させるための前記手段が，グロメットであるシステム。
【請求項６】
ココナツ内の無菌ジュースにアクセスして取り出すための請求項２〜５の何れか一項に記載したシステムであって，前記スピゴットの通路を開閉するためのプランジャを有するスピゴットを更に備えるシステム。
【請求項７】
ココナツ内の無菌ジュースにアクセスして取り出すための請求項１〜６の何れか一項に記載したシステムであって，ココナツは外殻が除かれているシステム。
【国際調査報告】
2014529418.tif 000033